(57)【要約】【課題】水や空気等のような人間に不可欠の流体において、より積極的にパワーアップできるような効率のよい改質装置を提供する。【解決手段】液体又は気体の通路を仕切るように複数枚のハニカムフィルターを設け、その間に液体又は気体の通路を形成するよう配置した管状部材に沿って、その外周上に磁場のニュートラルゾーンを形成する磁石を設置したことを特徴とする流体改質装置。【選択図】            図１
2004358425.tif 000002
【特許請求の範囲】
【請求項１】
液体又は気体の通路を仕切るように複数枚のハニカムフィルターを設け、その間に液体又は気体の通路を形成するよう配置した管状部材に沿って、その外周上に磁場のニュートラルゾーンを形成する磁石を設置したことを特徴とする流体改質装置。
【請求項２】
液体又は気体の通路を仕切るように複数枚のハニカムフィルターを設け、その間に液体又は気体の通路を形成するよう配置した管状部材に沿って、その外周上にヒータを設置したことを特徴とする流体改質装置。
【請求項３】
液体又は気体の通路を仕切るように複数枚のハニカムフィルターを設け、その間に乱流生成部材を収めるとともに、液体又は気体の通路を形成するよう配置した管状部材に沿って、その外周上に磁場のニュートラルゾーンを形成する磁石およびヒータを設置したことを特徴とする流体改質装置。
【請求項４】
ハニカムフィルターの壁面により形成される最小単位図形がその大半において三角形である請求項１ないし３に記載の流体改質装置。
【請求項５】
乱流生成部材としてセラミックボール、鉱石類、およびイオン交換樹脂のいずれかを単独もしくは組み合わせて用いる請求項１ないし３に記載の流体改質装置。
【発明の詳細な説明】
【０００１】
【発明の属する技術分野】この発明は主に水等の液体や空気等の気体を人体にとって望ましいものにするような流体の改質装置に関する。
【０００２】
【従来の技術】このような目的をもつ在来製品として各種の浄水器ないし整水器、或いは空調機ないし空気清浄機等が市販されており、部材としては塵埃等を濾過する濾材としてのフェルト状フィルター、吸着材としての活性炭、ミネラル等を供給する鉱石又はセラミック等が使用され、さらに電極を用いて空中の塵埃を吸引したり水を電気分解してアルカリ（酸）性イオン水を生成させるもの等がある。
【０００３】このように空気や水を浄化ないし改善しようとする機器類は甚だ多岐にわたるものであるが、最近はさらに「宇宙エネルギー」とも総称される、ある種のエネルギーないし波動をそれに与えて、より一層進んだものにしようとする試みが各種なされつつあり、一部ではある程度の成功を収めている。しかしながらその場合でもエネルギー付与に時間がかかったり、常に部品の取換えを要するようでは実用性に乏しいため、できるだけ流路に取り付けるのみで安定的に大量処理できるものにしなくてはならず、その意味ではその方面で未だ満足すべき形態のものが得られていないのが現状である。
【０００４】そのため、先に本発明者は水等の液体又は空気等の気体（本発明ではこれ等を総称して流体と称する）の通路を仕切るように複数枚のハニカムフィルターを設け、その間に乱流生成部材等を収めて、これを基本構造とする流体改質器を提案した（特開平８−１３２０２１号公報）。
【０００５】
【特許文献１】特開平８−１３２０２１号公報
【０００６】
【発明が解決しようとする課題】しかしながら、上記従来例においては乱流生成部材によって大量処理でき、しかも構造が単純であるという利点はあるものの、流体を改質する作用が充分ではなく、液体又は空気等の気体、すなわち流体の通路を長くする必要があって、装置が長大化してしまい、そのため設置できる場所や部位に限界があるという問題点があった。
【０００７】この発明は従来例のかかる問題点を解決することを課題とするものであり、構造は単純なままで流体を改質する作用が充分であり、しかも装置が小型化できるのでどのような場所や部位にも設置することが可能な流体改質器を提供しようとするものである。
【０００８】
【課題を解決するための手段】すなわちこの発明の流体改質器は、液体又は気体の通路を仕切るように複数枚のハニカムフィルターを設け、その間に液体又は気体の通路を形成するよう配置した管状部材に沿って、その外周上に磁場のニュートラルゾーンを形成する磁石を設置したことを特徴とするものである。
【０００９】この発明の流体改質器は、上記液体又は気体の通路を仕切るように複数枚のハニカムフィルターを設け、その間に液体又は気体の通路を形成するよう配置した管状部材に沿って、その外周上にヒータを設置したことをも特徴とするものである。
【００１０】この発明の流体改質器は、上記液体又は気体の通路を仕切るように複数枚のハニカムフィルターを設け、その間に乱流生成部材を収めるとともに、液体又は気体の通路を形成するよう配置した管状部材に沿って、その外周上に磁場のニュートラルゾーンを形成する磁石およびヒータを設置したことをも特徴とするものである。
【００１１】この発明の流体改質器は、上記ハニカムフィルターの壁面により形成される最小単位図形がその大半において三角形であることをも特徴とするものである。なおその三角形は基本的には正三角形であることが望ましいが、それに限定されるものではなく、また、時にはこれに円形等を囲むように組合わせてもよい。
【００１２】この発明の流体改質器は、上記乱流生成部材としてセラミックボール、鉱石類、およびイオン交換樹脂のいずれかを単独もしくは組み合わせて用いることができる。
【００１３】
【発明の実施の形態】以下この発明の流体改質器の実施の形態を、図面に基づいて詳細に説明する。
図１はこの発明の流体改質器の１実施例を示す概略断面図、図２はこの発明の流体改質器の他の実施例を示す概略断面図、図３はこの発明に用いられるハニカムフィルターの斜視図、図４はこの発明に使用される磁石の極性の配列を示す概略縦断面図、図５はその概略横断面図、図６はこの発明の流体改質器の別の実施例を示す概略断面図である。
【００１４】この発明の流体改質器の１実施例を図１に示す。この例において示された流体改質器は一種の空気改質器（エアリフォーマー）であって、筒状容器をなす流体改質器本体１１の流体の導入口１４とハニカムフィルター１２との間には、エア液体又は気体の通路１５と、その外周上に設置した磁場のニュートラルゾーンを形成する磁石１７とが設置されている。この磁石１７については後述する。
【００１５】また図２の実施例のものも一種の空気改質器（エアリフォーマー）であって、筒状容器をなす流体改質器本体１１のハニカムフィルター１２で仕切られる部屋内には、乱流生成部材１３が収められている。このような乱流生成部材１３の例としてはセラミックボールやサンゴ化石、シリカブラック、医王石、麦飯石等の単独または混合物よりなる鉱石類、イオン交換樹脂等の混合物があり、望ましくはセラミックボールをその上部に配置し、その下部に鉱石類とイオン交換樹脂等の混合物を配置するものである。
【００１６】この発明において流体Ａは必ず仕切壁であるハニカムフィルター１２を通り抜けることになるが、図３のようにその壁面は無数の小さな三角形の集合として形成されるから、あらゆる明瞭な図形のうちで最もその中央部を素通りするより周辺部に接触する機会が多く、しかも粒状体を逸脱させることなく保持する機能にすぐれ、さらに三角形を集合させると、別の三角形、五角形、六角形、六芒星等、甚だ多種類のいわゆるパワー図形を形成させることになる。
【００１７】したがって通過した水や空気等の流体Ａは、ハニカムフィルター１２の材質自体のもつ有害物質の吸着機能や有用物質の放出機能を最大限に享受することができると同時に、図形によって左右される宇宙エネルギー（その存在事実はもはや疑う余地がない程のデータの集積がある）を取入れるのにはなはだ適した経路を経ることになる。しかもかかるハニカムフィルター１２は、そのコアより大きい粒状の乱流生成部材１３をよく保持する割には流体Ａの通過を妨げる抵抗が少ないから、効率よく大量の流体Ａを処理できるとともに、それによって保持された乱流生成部材１３の乱流を勢いよく生成させるにも好適である。
【００１８】この実施例の流体改質器は、流体の導入口１４とハニカムフィルター１２との間に形成されたエア液体又は気体の通路１５の外周に磁性材料からなる管状部材１６を配置し、さらにその外周上に磁場のニュートラルゾーンを形成する磁石１７を設置したものである。１８は流体改質器本体１１の適所に設置したコントローラ付のファンである。
【００１９】上記磁場のニュートラルゾーンを形成する磁石１７は、図４および図５に示す構造を備えている。
すなわち、磁石１７を平面から見た図４において磁石１７は管状部材１６の周囲に複数、特に４個以上の偶数個が等間隔で配置されている。各磁石１７は隣接する磁石１７が交互にＳ極とＮ極となるよう配置されていて、その磁束が磁石１７の内側及び外側にＮ極からＳ極に整然と延びている。
また磁石１７の断面を見る図５において、磁石１７は管状部材１６の上下にも交互にＳ極とＮ極がくるよう配置されていて、その磁束はやはり磁石１７の内側及び外側にＮ極からＳ極に整然と延びている。
【００２０】上記のように配置した磁石１７により得られる磁場のニュートラルゾーンが流体Ａに対して原子あるいは分子レベルでどのような影響を及ぼすのかは詳らかではないが、すでに燃料改質装置等において実用に供されていることろから、その効果を充分に推測することが可能である。
【００２１】この発明の流体改質器のさらに別の実施例は図６に示す通りであるが、筒状容器をなす流体改質器本体２１の上方のハニカムフィルター２２で仕切られる部屋内には、乱流生成部材２３が収められている。このような乱流生成部材２３の例としては上記実施例と同様にセラミックボールやサンゴ化石、シリカブラック、医王石、麦飯石等の単独または混合物よりなる鉱石類、イオン交換樹脂等の混合物があり、望ましくはセラミックボールをその上部に配置し、その下部に鉱石類とイオン交換樹脂等の混合物を配置するものである。
【００２２】上記乱流生成部材２３を構成するセラミックボール、鉱石類、イオン交換樹脂等は、できるだけ上記の順序に従い、入口側より出口側の抵抗が大きくなるように取付けることが望ましいが、用途によりいずれかを省略してもよい。
すなわち、対象物が空気の場合には乱流生成部材２３として天然の鉱物かセラミック等の粒もしくは塊状体の集合物等を用いる場合がある。
なお、この乱流生成部材２３の材質やその機能は、上記第２の実施例と同様である。
【００２３】上記流体改質器本体２１内の上部ハニカムフィルター２２には取付孔２５が設けてあり、取付孔２５には所定のメッシュサイズの有底の保護筒２６がセットされている。なお、保護筒２６の上部開口は流体の導入口２７となっている。また保護筒２６にはヒータ２８が付設されており、電源（図示せず）等に接続されて所定の温度に加温するようになっている。２９はヒータ２８の温度センサ、３０は磁石である。
【００２４】上記保護筒２６の細孔は、保護筒２６を網状のもので構成したり、保護筒２６の素材としてパンチングメタル等を利用することにより適宜形成される。またヒータ２８としては通常のニクロム線に通電して発熱させるものや市販の面状ヒータ等を利用することができる。
【００２５】以上のように流体改質器本体２１にヒータ２８を内蔵させることにより流体Ａを適温に保持し、乱流生成部材２３による流体Ａの活性化を促進して、従来のような流体の通路を長くしたり装置を長大化する必要性をなくし、どのような場所や部位にも設置できるようになった。
またこのようなヒータ２８と磁石３０とを組み合わせることにより、流体Ａの活性化をより促進することができる。
【００２６】
【実施例１】図２に示すように、空調用のダクト内にちょうど収まるような円筒状容器の流体改質器本体１１中に、より大型のハニカムフィルター１２とそれによって挟まれる天然鉱石類とセラミック粒との混合物からなる乱流生成部材１３を収める。ただし、この場合のハニカムコアの三角形の一辺の長さは約３ｍｍ、フィルターの厚みは２０ｍｍとし、鉱石類の平均粒径は約１５ｍｍとする。
そして、流体の導入口１４とハニカムフィルター１２との間に形成されたエア液体又は気体の通路１５の外周には磁性材料からなる管状部材１６を配置し、さらにその外周上に磁場のニュートラルゾーンを形成する磁石１７を設置したものである。磁石１７は磁束密度８０〜１８０ミリテスラ（ｍＴ）という強力な磁力を備えた希土類磁石であることが望ましい。
【００２７】得た流体Ａを構成するエアは、美容院のストレートヘアやカーリーヘアのための加熱で痛めたヘアを回復するために使用した場合には、優れた活性作用を発揮し、一般的な髪の長さの人の平均が１０〜１５分に対して約５％の短縮と良好な仕上がり状態が得られる。すなわち、髪にパサツキ感がなく、さらさらかつしっとりの髪に良い状態となった
【００２８】
【実施例２】図６に示すように、直径約４０ｍｍの円内を一辺が２ｍｍの無数の正三角形の集合とした厚さ８ｍｍのセラミック製ハニカムフィルター２２を押出成形物のスライスにより製造し、これを通常の浄水器とほぼ同様の容器中に所定間隔をおいて３枚収めて仕切り板とし、それによって作られた上部空間には比重約１．５、直径２〜１０ｍｍ程度のセラミックボール、不定形の医王石やシリカブラック等の鉱石類、またイオン交換樹脂等から適宜のものを選択して配合した混合物からなる乱流生成部材２３を収める。
【００２９】また上部ハニカムフィルター２２に開けた取付孔２５から、所定のメッシュサイズの有底の保護筒２６を乱流生成部材２３内にセットし、保護筒２６にニクロム線ヒータ２８を内蔵させて電源に接続してあるので、流体Ａを３０〜８０℃前後の所定の温度に加温することができる。
【００３０】そして、かかる装置に水を通過させると温水を供給できるばかりか、それは水の改質作用等の機能を有するのみでなく、より積極的にその水をおいしくしたり気分高揚や健康増進をもたらすことが多数のモニターにより明らかとなった。
【００３１】
【発明の効果】このように本発明によれば、水や空気等に接触させてその性質を改善させる素材の機能を充分に発揮させうると同時に、かかる流体の乱流運動を行わせたり、パワー図形を通過させるのに適していて宇宙エネルギー等を取入れやすく、一層望ましい水や空気を効率よく提供できる効果がある。
【図面の簡単な説明】
【図１】この発明の流体改質器の１実施例を示す概略断面図である。
【図２】この発明の流体改質器の他の実施例を示す概略断面図である。
【図３】この発明に用いられるハニカムフィルターの斜視図である。
【図４】この発明に使用される磁石の極性の配列を示す概略縦断面図である。
【図５】その概略横断面図である。
【図６】この発明の流体改質器の別の実施例を示す概略断面図である。
【符号の説明】
１１  流体改質器本体
１２  ハニカムフィルター
１３  乱流生成部材
１４  流体の導入口
１５  エア液体又は気体の通路
１６  磁性材料からなる管状部材
１７  磁石
１８  コントローラ付のファン
２１  流体改質器本体
２２  ハニカムフィルター
２３  乱流生成部材
２５  取付孔
２６  保護筒
２７  流体の導入口
２８  ヒータ
２９  温度センサ
３０  磁石
Ａ  流体
【図１】
2004358425.tif 000003
【図２】
2004358425.tif 000004
【図３】
2004358425.tif 000005
【図４】
2004358425.tif 000006
【図５】
2004358425.tif 000007
【図６】
2004358425.tif 000008